(57)【要約】【課題】圧力を利用することにより表示画像中において３次元表示させる要素画像を切換えることが可能な電子機器を提供する。【解決手段】電子機器は、画像の３次元表示が可能である。電子機器は、ＣＰＵと、フラッシュメモリと、画像を表示するためのディスプレイ１０５と、押圧力を検知するためのセンサとを備える。ＣＰＵは、閾値Ｔｈ１以上の押圧力が検知されると、特急電車の発車時刻をディスプレイ１０５から飛び出す態様でディスプレイ１０５に３次元表示させる。ＣＰＵは、閾値Ｔｈ２以上閾値Ｔｈ１未満の押圧力が検知されると、急行電車の発車時刻をディスプレイ１０５から飛び出す態様でディスプレイに３次元表示させる。ＣＰＵは、閾値Ｔｈ３以上閾値Ｔｈ２未満の押圧力が検知されると、普通電車の発車時刻をディスプレイ１０５から飛び出す態様でディスプレイに３次元表示させる。【選択図】図３
2012113385.tif 000002
【特許請求の範囲】
【請求項１】
画像の３次元表示が可能な電子機器であって、
プロセッサと、
前記プロセッサに接続されたメモリと、
前記画像を表示するためのディスプレイと、
押圧力を検知するためのセンサとを備え、
前記メモリは、前記押圧力に関する第１の閾値と、当該第１の閾値よりも小さい第２の閾値とを格納しており、
前記画像は、第１の属性に対応付けられた第１の要素画像と、第２の属性に対応付けられた第２の要素画像とを含み、
前記第１の属性は、前記第１の閾値以上の値と対応付けられており、前記第２の属性は、前記第２の閾値以上前記第１の閾値未満の値と対応付けられており、
前記プロセッサは、
前記センサによって前記第１の閾値以上の押圧力が検知されると、前記第１の属性に対応付けられた前記第１の要素画像を前記ディスプレイから飛び出す態様で前記ディスプレイに３次元表示させ、
前記センサによって前記第２の閾値以上前記第１の閾値未満の押圧力が検知されると、前記第２の属性に対応付けられた前記第２の要素画像を前記ディスプレイから飛び出す態様で前記ディスプレイに３次元表示させる、電子機器。
【請求項２】
前記ディスプレイは、前記電子機器の筐体の第１の表面に設けられ、
前記センサは、前記第１の表面の裏面である前記筐体の第２の表面に設けられ、前記ディスプレイ方向への前記押圧力を検知する、請求項１に記載の電子機器。
【請求項３】
前記センサは、少なくとも前記押圧力を加えることにより前記ディスプレイにおける位置を特定するためのデバイスにより実現され、
前記プロセッサは、
前記デバイスによって位置が特定され、かつ前記第１の閾値以上の押圧力が検知されると、当該特定された位置を含む予め定められた領域に含まれる前記第１の要素画像を３次元表示させ、
前記デバイスによって位置が特定され、かつ前記第２の閾値以上前記第１の閾値未満の押圧力が検知されると、当該特定された位置を含む予め定められた領域に含まれる前記第２の要素画像を３次元表示させる、請求項１または２に記載の電子機器。
【請求項４】
前記デバイスは、前記ディスプレイに表示されるポインタの位置を特定するためのタッチパッドであって、
前記プロセッサは、
前記特定されたポインタの位置において前記第１の閾値以上の押圧力が検知されると、前記ポインタの位置を含む予め定められた領域に含まれる前記第１の要素画像を３次元表示させ、
前記特定されたポインタの位置において前記第２の閾値以上前記第１の閾値未満の押圧力が検知されると、前記ポインタの位置を含む予め定められた領域に含まれる前記第２の要素画像を３次元表示させる、請求項３に記載の電子機器。
【請求項５】
前記画像は、時刻表であり、
前記第１の属性は、第１の列車種別であり、
前記第２の属性は、前記第１の列車種別とは異なる第２の列車種別であり、
前記第１の要素画像は、前記第１の列車種別の発車時刻を表す画像であり、
前記第２の要素画像は、前記第２の列車種別の発車時刻を表す画像である、請求項１から４のいずれか１項に記載の電子機器。
【請求項６】
前記画像は、地図であり、
前記第１の属性は、第１の店舗種別であり、
前記第２の属性は、前記第１の店舗種別とは異なる第２の店舗種別であり、
前記第１の要素画像は、前記第１の店舗種別の店舗を示す画像であり、
前記第２の要素画像は、前記第２の店舗種別の店舗を示す画像である、請求項１から４のいずれか１項に記載の電子機器。
【請求項７】
画像の３次元表示が可能な電子機器における表示制御方法であって、
前記電子機器は、プロセッサと、前記プロセッサに接続されたメモリと、前記画像を表示するためのディスプレイと、押圧力を検知するためのセンサとを備え、
前記メモリは、前記押圧力に関する第１の閾値と、当該第１の閾値よりも小さい第２の閾値とを格納しており、
前記画像は、第１の属性に対応付けられた第１の要素画像と、第２の属性に対応付けられた第２の要素画像とを含み、
前記第１の属性は、前記第１の閾値以上の値と対応付けられており、前記第２の属性は、前記第２の閾値以上前記第１の閾値未満の値と対応付けられており、
前記表示制御方法は、
前記センサが、前記押圧力を検知するステップと、
前記プロセッサが、前記センサによって前記第１の閾値以上の押圧力が検知されると、前記第１の属性に対応付けられた前記第１の要素画像を前記ディスプレイから飛び出す態様で前記ディスプレイに３次元表示させるステップと、
前記プロセッサが、前記センサによって前記第２の閾値以上前記第１の閾値未満の押圧力が検知されると、前記第２の属性に対応付けられた前記第２の要素画像を前記ディスプレイから飛び出す態様で前記ディスプレイに３次元表示させるステップとを備える、表示制御方法。
【請求項８】
画像の３次元表示が可能な電子機器を制御するためのプログラムであって、
前記電子機器は、プロセッサと、前記プロセッサに接続されたメモリと、前記画像を表示するためのディスプレイと、押圧力を検知するためのセンサとを備え、
前記メモリは、前記押圧力に関する第１の閾値と、当該第１の閾値よりも小さい第２の閾値とを格納しており、
前記画像は、第１の属性に対応付けられた第１の要素画像と、第２の属性に対応付けられた第２の要素画像とを含み、
前記第１の属性は、前記第１の閾値以上の値と対応付けられており、前記第２の属性は、前記第２の閾値以上前記第１の閾値未満の値と対応付けられており、
前記プログラムは、
前記センサから、前記検知された押圧力を示す信号の入力を受け付けるステップと、
前記信号が前記第１の閾値以上の押圧力を表す場合、前記第１の属性に対応付けられた前記第１の要素画像を前記ディスプレイから飛び出す態様で前記ディスプレイに３次元表示させるステップと、
前記信号が前記第２の閾値以上前記第１の閾値未満の押圧力を表す場合、前記第２の属性に対応付けられた前記第２の要素画像を前記ディスプレイから飛び出す態様で前記ディスプレイに３次元表示させるステップとを、前記プロセッサに実行させる、プログラム。
【発明の詳細な説明】
【技術分野】
【０００１】
本発明は、電子機器、表示制御方法、およびプログラムに関し、特に、３次元表示が可能な電子機器、当該電子機器における表示制御方法、当該電子機器を制御するためのプログラムに関する。
【背景技術】
【０００２】
従来、タッチパッド、タッチパネル、タブレットなどのポインティングデバイスを備えた電子機器が知られている。
【０００３】
特許文献１には、上記電子機器として、液晶画面の背面にタッチパネルを備えた携帯端末が開示されている。当該携帯端末は、操作圧力の検出が可能なタッチパネルを備える。携帯端末は、操作圧力により、タッチパネルへの入力操作をカーソル表示（移動）のモードとして処理するか、データ入力のモードとして処理するか、カーソル消去のモードとして処理するかを切換える。携帯端末は、たとえば、操作圧力が弱いときはカーソル表示のみ行ない、強い圧力で操作されたときにのみ入力データの処理を行なう。
【０００４】
特許文献２には、上記電子機器として、表面側にディスプレイを設け、背面側にポインティングデバイスを設けた携帯移動通信装置が開示されている。当該携帯移動通信装置では、ポインティングデバイスを操作者の指で操作することにより、ディスプレイ上のポインタを移動させることができ、かつクリックによりディスプレイ上の項目を選択・確定することもできる。
【０００５】
特許文献３には、上記電子機器として、正面の表示部に対して背面側にタッチパネルスイッチを配し、表示部に表示された選択項目の内の希望する項目に対応した、タッチパネルスイッチの所定位置を押圧操作することにより希望する項目を選択可能に構成した電子機器が開示されている。
【０００６】
特許文献４には、画像をポインティングできるとともに３次元表示が可能な電子機器の制御装置が開示されている。当該制御装置は、表示装置と、表示装置に表示されたオブジェクト画像をポインティングする入力装置とを含むユーザインタフェース装置の制御装置である。当該制御装置は、入力装置を操作した操作情報が入力される操作情報入力手段と、入力された操作情報に基づき、被制御装置を制御するための制御パラメータを算出する制御パラメータ算出手段と、算出された制御パラメータに基づき、所定のオブジェクト画像を予め定めた複数の表示領域のいずれかの領域内の所定位置に表示するようにオブジェクト位置を算出するオブジェクト位置算出手段と、算出されたオブジェクト位置に基づき、オブジェクト画像を表示装置に表示させる表示制御手段とを有する。
【０００７】
特許文献５には、ＧＵＩ（Graphical User Interface）を用いたコンピュータにおいて、平面ディスプレイ上に擬似３次元表示されたアイテムを、筆圧感知型タブレットなどの擬似的に３次元情報を入力できる装置を用いることで選択、移動するための図形選択装置が開示されている。当該図形選択装置は、タブレットから利用者の指し示す平面上の位置情報および筆圧を検知する。図形選択装置は、得られたタブレットからの入力情報を、３次元情報に変換する。図形選択装置は、求められた３次元情報を元に、ディスプレイ上に表示されているアイテムの、記憶装置に格納されている表示情報を検索し、アイテムを選択する。
【先行技術文献】
【特許文献】
【０００８】
【特許文献１】特開２００３−５８３１６号公報
【特許文献２】特開２００１−１８９７９２号公報
【特許文献３】特開２００２−７７３５７号公報
【特許文献４】特開２００６−３２３４９２号公報
【特許文献５】特開平１１−７３７２号公報
【発明の概要】
【発明が解決しようとする課題】
【０００９】
しかしながら、特許文献１から５に開示された機器は、タッチパッドやタッチパネルなどのポインティングデバイスへの操作圧力（押圧力）を変化させても、２次元表示から３次元表示への切換えを行なうことはできない。また、特許文献１から５に開示された機器は、表示画像中において３次元表示させる対象（要素画像）を切換えて選択することはできない。
【００１０】
本発明は上記の問題点に鑑みなされたものであって、押圧力を利用することにより表示画像中において３次元表示させる要素画像を切換えることが可能な電子機器、当該電子機器における表示制御方法、およびプログラムを提供することにある。
【課題を解決するための手段】
【００１１】
本発明のある局面に従うと、電子機器は、画像の３次元表示が可能な電子機器である。電子機器は、プロセッサと、プロセッサに接続されたメモリと、画像を表示するためのディスプレイと、押圧力を検知するためのセンサとを備える。メモリは、押圧力に関する第１の閾値と、当該第１の閾値よりも小さい第２の閾値とを格納している。画像は、第１の属性に対応付けられた第１の要素画像と、第２の属性に対応付けられた第２の要素画像とを含む。第１の属性は、第１の閾値以上の値と対応付けられており、第２の属性は、第２の閾値以上第１の閾値未満の値と対応付けられている。プロセッサは、センサによって第１の閾値以上の押圧力が検知されると、第１の属性に対応付けられた第１の要素画像をディスプレイから飛び出す態様でディスプレイに３次元表示させる。プロセッサは、センサによって第２の閾値以上第１の閾値未満の押圧力が検知されると、第２の属性に対応付けられた第２の要素画像をディスプレイから飛び出す態様でディスプレイに３次元表示させる。
【００１２】
好ましくは、ディスプレイは、電子機器の筐体の第１の表面に設けられている。センサは、第１の表面の裏面である筐体の第２の表面に設けられ、ディスプレイ方向への押圧力を検知する。
【００１３】
好ましくは、センサは、少なくとも押圧力を加えることによりディスプレイにおける位置を特定するためのデバイスにより実現される。プロセッサは、デバイスによって位置が特定され、かつ第１の閾値以上の押圧力が検知されると、当該特定された位置を含む予め定められた領域に含まれる第１の要素画像を３次元表示させる。プロセッサは、デバイスによって位置が特定され、かつ第２の閾値以上第１の閾値未満の押圧力が検知されると、当該特定された位置を含む予め定められた領域に含まれる第２の要素画像を３次元表示させる。
【００１４】
好ましくは、デバイスは、ディスプレイに表示されるポインタの位置を特定するためのタッチパッドである。プロセッサは、特定されたポインタの位置において第１の閾値以上の押圧力が検知されると、ポインタの位置を含む予め定められた領域に含まれる第１の要素画像を３次元表示させる。プロセッサは、特定されたポインタの位置において第２の閾値以上第１の閾値未満の押圧力が検知されると、ポインタの位置を含む予め定められた領域に含まれる第２の要素画像を３次元表示させる。
【００１５】
好ましくは、画像は、時刻表である。第１の属性は、第１の列車種別である。第２の属性は、第１の列車種別とは異なる第２の列車種別である。第１の要素画像は、第１の列車種別の発車時刻を表す画像である。第２の要素画像は、第２の列車種別の発車時刻を表す画像である。
【００１６】
好ましくは、画像は、地図である。第１の属性は、第１の店舗種別である。第２の属性は、第１の店舗種別とは異なる第２の店舗種別である。第１の要素画像は、第１の店舗種別の店舗を示す画像である。第２の要素画像は、第２の店舗種別の店舗を示す画像である。
【００１７】
本発明の他の局面に従うと、表示制御方法は、画像の３次元表示が可能な電子機器における表示制御方法である。電子機器は、プロセッサと、プロセッサに接続されたメモリと、画像を表示するためのディスプレイと、押圧力を検知するためのセンサとを備える。メモリは、押圧力に関する第１の閾値と、当該第１の閾値よりも小さい第２の閾値とを格納している。画像は、第１の属性に対応付けられた第１の要素画像と、第２の属性に対応付けられた第２の要素画像とを含む。第１の属性は、第１の閾値以上の値と対応付けられており、第２の属性は、第２の閾値以上第１の閾値未満の値と対応付けられている。表示制御方法は、センサが、押圧力を検知するステップと、プロセッサが、センサによって第１の閾値以上の押圧力が検知されると、第１の属性に対応付けられた第１の要素画像をディスプレイから飛び出す態様でディスプレイに３次元表示させるステップと、プロセッサが、センサによって第２の閾値以上第１の閾値未満の押圧力が検知されると、第２の属性に対応付けられた第２の要素画像をディスプレイから飛び出す態様でディスプレイに３次元表示させるステップとを備える。
【００１８】
本発明のさらに他の局面に従うと、プログラムは、画像の３次元表示が可能な電子機器を制御するためのプログラムである。電子機器は、プロセッサと、プロセッサに接続されたメモリと、画像を表示するためのディスプレイと、押圧力を検知するためのセンサとを備える。メモリは、押圧力に関する第１の閾値と、当該第１の閾値よりも小さい第２の閾値とを格納している。画像は、第１の属性に対応付けられた第１の要素画像と、第２の属性に対応付けられた第２の要素画像とを含む。第１の属性は、第１の閾値以上の値と対応付けられており、第２の属性は、第２の閾値以上第１の閾値未満の値と対応付けられている。プログラムは、センサから、検知された押圧力を示す信号の入力を受け付けるステップと、信号が第１の閾値以上の押圧力を表す場合、第１の属性に対応付けられた第１の要素画像をディスプレイから飛び出す態様でディスプレイに３次元表示させるステップと、信号が第２の閾値以上第１の閾値未満の押圧力を表す場合、第２の属性に対応付けられた第２の要素画像をディスプレイから飛び出す態様でディスプレイに３次元表示させるステップとを、プロセッサに実行させる。
【発明の効果】
【００１９】
上記の発明によれば、押圧力を利用することにより表示画像中において３次元表示させる要素画像を切換えることが可能となる。
【図面の簡単な説明】
【００２０】
【図１】電子機器の外観を示した図である。
【図２】電子機器のハードウェア構成を示した図である。
【図３】電子機器における第１の表示制御の例を説明するための図である。
【図４】図３に示した第１の表示制御を実現するために電子機器が利用するデータの概略構成を示した図である。
【図５】電子機器が図３に示した第１の表示制御を実現する場合における処理の流れを示したフローチャートである。
【図６】電子機器における第２の表示制御の例を説明するための図である。
【図７】図６に示した第２の表示制御を実現するために電子機器が利用するデータの概略構成を示した図である。
【図８】電子機器における第３の表示制御の例を説明するための図である。
【図９】図８に示した第３の表示制御を実現するために電子機器が利用するデータの概略構成を示した図である。
【図１０】電子機器における第４の表示制御の例を説明するための図である。
【図１１】図１０に示した第４の表示制御を実現するために電子機器が利用するデータ９１１の概略構成を示した図である。
【図１２】電子機器における第５の表示制御の例を説明するための図である。
【図１３】電子機器が図１２に示した第５の表示制御を実現する場合における処理の流れを示したフローチャートである。
【発明を実施するための形態】
【００２１】
以下、図面を参照しつつ、本発明の各実施の形態に係る電子機器について説明する。以下の説明では、同一の部品には同一の符号を付してある。それらの名称および機能も同じである。したがって、それらについての詳細な説明は繰り返さない。
【００２２】
図１は、本実施の形態に係る電子機器１の外観を示した図である。図１（ａ）は、電子機器１の斜視図である。図１（ｂ）は、電子機器１の正面図である。図１（ｃ）は、電子機器１の裏面図である。図１（ｄ）は、電子機器１の側面図である。
【００２３】
図１を参照して、電子機器１は、ディスプレイ１０５と、操作キー１０７と、タッチパッド１１０とを備える。電子機器１の筐体１０は、第１面１０Ａと、第２面１０Ｂと、第３面１０Ｃと、第４面１０Ｄと、第５面１０Ｅと、第６面１０Ｆとを備える。第２面１０Ｂは、第１面１０Ａの裏面である。第３面１０Ｃ、第４面１０Ｄ、第５面１０Ｅ、および第６面１０Ｆは、電子機器１の側面である。
【００２４】
ディスプレイ１０５および操作キー１０７は、筐体１０の第１面１０Ａに備えられる。タッチパッド１１０は、筐体１０の第２面１０Ｂに備えられる。つまり、タッチパッド１１０は、第１面１０Ａの裏面である第２面１０Ｂに設けられる。
【００２５】
電子機器１は、２次元表示と３次元表示とが可能に構成されている。電子機器１は、３次元表示の方法として視差バリア方式を用いている。電子機器１は、ディスプレイ１０５に、右目用画像と左目用画像とを、ｘ方向において交互に表示する。なお、３次元表示の方法は、視差バリア方式に限定されるものではなく、たとえば、レンチキュラ方式、偏光板方式、液晶アクティブシャッターメガネ方式等の各種の方式を用いることもできる。電子機器１は、たとえば、携帯型電話機、ＰＤＡ（Personal Digital Assistant）、電子辞書、電子ブックリーダである。
【００２６】
図２は、電子機器１のハードウェア構成を示した図である。図２を参照して、電子機器１は、プログラムを実行するＣＰＵ（Central Processing Unit）１０１と、データを不揮発的に格納するＲＯＭ（Read Only Memory）１０２と、データを揮発的に格納するＲＡＭ（Random Access Memory）１０３と、フラッシュメモリ１０４と、ディスプレイ１０５と、スピーカ１０６と、電子機器１のユーザによる指示の入力を受ける操作キー１０７と、通信ＩＦ（Interface）１０８と、ＩＣ（Integrated Circuit）カードリーダライタ１０９と、タッチパッド１１０と、電源ユニット１１１とを備える。
【００２７】
フラッシュメモリ１０４は、不揮発性の半導体メモリである。フラッシュメモリ１０４は、ＣＰＵ１０１が実行するプログラム、押圧力に関する閾値（図３参照）等の後述する各種データを格納している。また、フラッシュメモリ１０４は、電子機器１が生成したデータ、電子機器１の外部装置から取得したデータ等の各種データを揮発的に格納する。
【００２８】
スピーカ１０６は、ＣＰＵ１０１からの指令に応じて音を発生させる。通信ＩＦ１０８は、他の装置と通信を行なうための用いられるインターフェースである。通信ＩＦ１０８は、無線および／または有線にてデータを送信するための処理を行なう。
【００２９】
タッチパッド１１０は、ユーザの指等による入力操作に従って、ディスプレイ１０５に表示されるポインタ（カーソル）の位置を移動させるためのデバイスである。ＣＰＵ１０１は、タッチパッド１１０からの出力に基づいてポインタの位置を特定し、当該特定した位置にポインタを表示させる。
【００３０】
タッチパッド１１０は、押圧力を検知するための圧力センサ１２１を含んでいる。つまり、圧力センサ１２１は、タッチパッド１１０により実現される。圧力センサ１２１は、タッチパッド１１０の表面に沿ってタッチパッド１１０の内部に配置されている。
【００３１】
圧力センサ１２１は、ユーザが指等でタッチパッド１１０の接触面を押した場合、押圧力を出力する。具体的には、圧力センサ１２１は、ディスプレイ１０５方向（つまり、第２面１０Ｂから第１面１０Ａ方向）への押圧力を検知し、検知結果をＣＰＵ１０１に送る。
【００３２】
各構成要素１０１〜１１１は、相互にデータバスによって接続されている。ＩＣカードリーダライタ１０９には、メモリカード１０９１が装着される。
【００３３】
電子機器１における処理は、各ハードウェアおよびＣＰＵ１０１により実行されるソフトウェアによって実現される。このようなソフトウェアは、フラッシュメモリ１０４に予め記憶されている場合がある。また、ソフトウェアは、メモリカード１０９１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１０９その他の読取装置によりその記憶媒体から読み取られて、あるいは、通信ＩＦを介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００３４】
同図に示される電子機器１を構成する各構成要素は、一般的なものである。したがって、本発明の本質的な部分は、フラッシュメモリ１０４、メモリカード１０９１その他の記憶媒体に格納されたソフトウェア、あるいはネットワークを介してダウンロード可能なソフトウェアであるともいえる。なお、電子機器１の各ハードウェアの動作は周知であるので、詳細な説明は繰り返さない。
【００３５】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００３６】
ここでいうプログラムとは、ＣＰＵにより直接実行可能なプログラムだけでなく、ソースプログラム形式のプログラム、圧縮処理されたプログラム、暗号化されたプログラム等を含む。
【００３７】
図３は、電子機器１における第１の表示制御の例を説明するための図である。図３（ａ）は、電子機器１がディスプレイ１０５に時刻表を表示した状態を示した図である。図３（ｂ）は、図３（ａ）の後に、閾値Ｔｈ１以上の押圧力Ｐがタッチパッド１１０に加わったときの表示画面を示した図である。図３（ｃ）は、図３（ａ）の後に、閾値Ｔｈ２以上閾値Ｔｈ１未満の押圧力Ｐがタッチパッド１１０に加わったときの表示画面を示した図である。図３（ｄ）は、図３（ａ）の後に、閾値Ｔｈ３以上閾値Ｔｈ２未満の押圧力Ｐがタッチパッドに加わったときの表示画面を示した図である。なお、Ｔｈ１＞Ｔｈ２＞Ｔｈ３＞０である。
【００３８】
図３（ａ）を参照して、電子機器１は、ユーザからの指示に基づき、Ａ駅の上りの１０時から１６時までの時刻表をディスプレイ１０５に表示する。時刻表（画像）において、四角で囲んだ数字（要素画像）は特急電車の発車時刻を表しており、丸で囲んだ数字（要素画像）は急行電車の発車時刻を表している。他の数字（要素画像）は、普通電車の発車時刻を表している。特急電車、急行電車、および普通電車は、互いに列車種別（属性）の異なる電車である。
【００３９】
なお、時刻表の表示は、このように四角や丸を使用したものに限定されず、列車種別が識別できるものであればよい。たとえば、特急電車の発車時刻を赤色で表示し、急行電車の発車時刻を青色で表示し、普通電車の発車時刻を黒色で表示すればよい。
【００４０】
図３（ｂ）を参照して、電子機器１は、閾値Ｔｈ１以上の押圧力Ｐがタッチパッド１１０に加わったとき、特急電車の発車時刻を、ディスプレイ１０５から飛び出す態様で３次元表示する。つまり、電子機器１は、図３（ａ）において四角で囲まれている数字を、ディスプレイ１０５から飛び出す態様で３次元表示する。なお、四角の図形については、数字と同様に３次元表示してもよいし、図３（ｂ）に示すように、非表示としてもよい。
【００４１】
図３（ｃ）を参照して、電子機器１は、閾値Ｔｈ２以上閾値Ｔｈ１未満の押圧力Ｐがタッチパッド１１０に加わったとき、急行電車の発車時刻を、ディスプレイ１０５から飛び出す態様で３次元表示する。つまり、電子機器１は、図３（ａ）において丸で囲まれている数字を、ディスプレイ１０５から飛び出す態様で３次元表示する。なお、丸の図形については、数字と同様に３次元表示してもよいし、図３（ｃ）に示すように、非表示としてもよい。
【００４２】
図３（ｄ）を参照して、電子機器１は、閾値Ｔｈ３以上閾値Ｔｈ２未満の押圧力Ｐがタッチパッド１１０に加わったとき、普通電車の発車時刻を、ディスプレイ１０５から飛び出す態様で３次元表示する。つまり、電子機器１は、四角または丸で囲まれていた数字以外の発車時刻を示す数字を、ディスプレイ１０５から飛び出す態様で３次元表示する。
【００４３】
以上のように、電子機器１は、押圧力Ｐを利用することにより時刻表中において３次元表示させる発車時刻（要素画像）を切換えることが可能となる。より詳しくは、電子機器１は、３次元表示させる発車時刻を、検知した押圧力Ｐに基づいた属性（列車種別）に対応する数字とすることができる。したがって、ユーザは、押圧を選択または変化させることで、ユーザ自身が確認したい列車種別の発車時刻を、視認性が高い状態で確認することができる。
【００４４】
図４は、図３に示した第１の表示制御を実現するために電子機器１が利用するデータ９０４の概略構成を示した図である。なお、データ９０４は、フラッシュメモリ１０４に予め格納されている。
【００４５】
図４を参照して、データ９０４においては、発車時刻と列車種別と押圧力Ｐとが関連付けられている。具体的には、データ９０４においては、各発車時刻に対して、列車種別と押圧力Ｐとが関連付けられている。
【００４６】
データ９０４においては、たとえば、発車時刻“１０：０５”と、列車種別“急行”と、押圧力“中”とが対応付けられている。なお、押圧力“中”とは、閾値Ｔｈ２以上閾値Ｔｈ１未満の値である。データ９０４においては、たとえば、発車時刻“１０：２０”と、列車種別“普通”と、押圧力“弱”とが対応付けられている。なお、押圧力“弱”とは、閾値Ｔｈ３以上閾値Ｔｈ２未満の値である。データ９０４においては、たとえば、発車時刻“１０：３０”と、列車種別“特急”と、押圧力“強”とが対応付けられている。なお、押圧力“強”とは、閾値Ｔｈ１以上の値である。
【００４７】
電子機器１は、たとえば、閾値Ｔｈ１以上の押圧力Ｐがタッチパッド１１０に加わったとき、データ９０４を参照して、押圧力“強”に対応付けられた列車種別（つまり、「特急」）の発車時刻を特定する。電子機器１は、当該特定した発車時刻をディスプレイ１０５に３次元表示する。
【００４８】
また、電子機器１は、閾値Ｔｈ２以上閾値Ｔｈ１未満の押圧力Ｐがタッチパッド１１０に加わったとき、データ９０４を参照して、押圧力“中”に対応付けられた列車種別（つまり、「急行」）の発車時刻を特定する。電子機器１は、当該特定した発車時刻をディスプレイ１０５に３次元表示する。
【００４９】
また、電子機器１は、閾値Ｔｈ３以上閾値Ｔｈ２未満の押圧力Ｐがタッチパッド１１０に加わったとき、データ９０４を参照して、押圧力“弱”に対応付けられた列車種別（つまり、「普通」）の発車時刻を特定する。電子機器１は、当該特定した発車時刻をディスプレイ１０５に３次元表示する。
【００５０】
なお、画像の飛び出しは、右目用画像と左目用画像とのディスプレイ１０５における位置をずらすことにより実現できる。
【００５１】
図５は、電子機器１が図３に示した第１の表示制御を実現する場合における処理の流れを示したフローチャートである。図５を参照して、ステップＳ２において、ＣＰＵ１０１は、タッチパッド１１０に指が接触した否かを判断する。ＣＰＵ１０１は、接触したと判断すると（ステップＳ２においてＹＥＳ）、ステップＳ４において、ポインティング処理を行なう。すなわち、ＣＰＵ１０１は、ポインタを移動させるための処理を行なう。ＣＰＵ１０１は、接触していないと判断すると（ステップＳ２においてＮＯ）、処理をステップＳ２に進める。
【００５２】
ステップＳ６において、ＣＰＵ１０１は、タッチパッド１１０から指が離れたか否かを判断する。ＣＰＵ１０１は、離れたと判断すると（ステップＳ６においてＹＥＳ）、処理をステップＳ２に進める。ＣＰＵ１０１は、離れていないと判断すると（ステップＳ６においてＮＯ）、ステップＳ８において、押圧力Ｐが閾値Ｔｈ３以上であるか否かを判断する。
【００５３】
ＣＰＵ１０１は、閾値Ｔｈ３未満であると判断すると（ステップＳ８においてＮＯ）、処理をステップＳ４に進める。ＣＰＵ１０１は、閾値Ｔｈ３以上であると判断すると（ステップＳ８においてＹＥＳ）、ステップＳ１０において、押圧力Ｐが閾値Ｔｈ１以上であるか否かを判断する。
【００５４】
ＣＰＵ１０１は、閾値Ｔｈ１以上であると判断すると（ステップＳ１０においてＹＥＳ）、ステップＳ１２において、特急電車の発車時刻を３次元表示させる。ＣＰＵ１０１は、閾値Ｔｈ１未満であると判断すると（ステップＳ１０においてＮＯ）、ステップＳ１４において、押圧力Ｐが閾値Ｔｈ２以上であるか否かを判断する。
【００５５】
ＣＰＵ１０１は、閾値Ｔｈ２以上であると判断すると（ステップＳ１４においてＹＥＳ）、ステップＳ１６において、急行電車の発車時刻を３次元表示させる。ＣＰＵ１０１は、閾値Ｔｈ２未満であると判断すると（ステップＳ１４においてＮＯ）、ステップＳ１８において、普通電車の発車時刻を３次元表示させる。
【００５６】
なお、ステップＳ６の後にステップＳ１０を行ない、ステップＳ１４でＮＯと判断された場合にステップＳ８を行なう構成としてもよい。この場合、ＣＰＵ１０１は、ステップＳ８でＹＥＳの場合、ステップＳ１８に進み、ステップＳ８でＮＯの場合、ステップＳ４に進めばよい。
【００５７】
図６は、電子機器１における第２の表示制御の例を説明するための図である。図６（ａ）は、電子機器１がディスプレイ１０５に地図を表示した状態を示した図である。図６（ｂ）は、図６（ａ）の後に、閾値Ｔｈ１以上の押圧力Ｐがタッチパッド１１０に加わったときの表示画面を示した図である。図６（ｃ）は、図６（ａ）の後に、閾値Ｔｈ２以上閾値Ｔｈ３未満の押圧力Ｐがタッチパッド１１０に加わったときの表示画面を示した図である。図６（ｄ）は、図６（ａ）の後に、閾値Ｔｈ３以上閾値Ｔｈ２未満の押圧力Ｐがタッチパッドに加わったときの表示画面を示した図である。
【００５８】
図６（ａ）を参照して、電子機器１は、ユーザからの指示に基づき、当該指示に応じた地域の地図をディスプレイ１０５に表示する。電子機器１は、コンビニエンスストアＬ１，Ｌ２，Ｅ１，Ｅ２，Ｆ１，Ｆ２を示した記号を、コンビニチェーン毎に区分けして表示する。なお、以下では、“Ｌ１”，“Ｌ２”，“Ｅ１”，“Ｅ２”，“Ｆ１”，および“Ｆ２”を、「店舗名」とも称する。
【００５９】
コンビニエンスストアＬ１，Ｌ２は、コンビニチェーン名が“ＬＳコンビニ”のコンビニエンスストアである。コンビニエンスストアＥ１，Ｅ２は、コンビニチェーン名が“ＳＥコンビニ”のコンビニエンスストアである。コンビニエンスストアＦ１，Ｆ２は、コンビニチェーン名が“ＦＭコンビニ”のコンビニエンスストアである。
【００６０】
ＬＳコンビニ、ＳＥコンビニ、およびＦＭコンビニは、互いに店舗種別（属性）の異なるコンビニエンスストアである。また、コンビニエンスストアＬ１を示す記号とコンビニエンスストアＬ２を示す記号とで１つの要素画像が構成され、コンビニエンスストアＥ１を示す記号とコンビニエンスストアＥ２を示す記号とで１つの要素画像が構成され、コンビニエンスストアＦ１を示す記号とコンビニエンスストアＦ２を示す記号とで１つの要素画像が構成される。
【００６１】
図６（ｂ）を参照して、電子機器１は、閾値Ｔｈ１以上の押圧力Ｐがタッチパッド１１０に加わったとき、ＬＳコンビニのコンビニエンスストアＬ１，Ｌ２を、ディスプレイ１０５から飛び出す態様で３次元表示する。図６（ｃ）を参照して、電子機器１は、閾値Ｔｈ２以上閾値Ｔｈ１未満の押圧力Ｐがタッチパッド１１０に加わったとき、ＳＥコンビニのコンビニエンスストアＥ１，Ｅ２を、ディスプレイ１０５から飛び出す態様で３次元表示する。図６（ｄ）を参照して、電子機器１は、閾値Ｔｈ３以上閾値Ｔｈ２未満の押圧力Ｐがタッチパッド１１０に加わったとき、ＦＭコンビニのコンビニエンスストアＦ１，Ｆ２を、ディスプレイ１０５から飛び出す態様で３次元表示する。
【００６２】
以上のように、電子機器１は、押圧力Ｐを利用することにより地図中において３次元表示させるコンビニエンスストア（要素画像）を切換えることが可能となる。より詳しくは、電子機器１は、３次元表示させるコンビニエンスストアを、検知した押圧力Ｐに基づいた属性（コンビニチェーン名）に対応する記号とすることができる。したがって、ユーザは、押圧を選択または変化させることで、ユーザ自身が確認したいコンビニチェーンのコンビニエンスストアの記号を、視認性が高い状態で確認することができる。
【００６３】
図７は、図６に示した第２の表示制御を実現するために電子機器１が利用するデータ９０７の概略構成を示した図である。なお、データ９０７は、フラッシュメモリ１０４に予め格納されている。
【００６４】
図７を参照して、データ９０７においては、コンビニエンスストアの店舗名と、コンビニチェーン名と、押圧力Ｐとが関連付けられている。具体的には、データ９０７においては、店舗名に対して、コンビチェーン名と押圧力Ｐとが関連付けられている。なお、コンビニチェーン名は、店舗種別を表している。
【００６５】
データ９０７においては、たとえば、店舗名“Ｌ１”と、コンビニチェーン名“ＬＳコンビニ”と、押圧力“強”とが対応付けられている。データ９０７においては、たとえば、店舗名“Ｅ１”と、コンビニチェーン名“ＳＥコンビニ”と、押圧力“中”とが対応付けられている。データ９０７においては、たとえば、店舗名“Ｆ１”と、コンビニチェーン名“ＦＭコンビニ”と、押圧力“弱”とが対応付けられている。
【００６６】
電子機器１は、たとえば、閾値Ｔｈ１以上の押圧力Ｐがタッチパッド１１０に加わったとき、データ９０７を参照して、押圧力“強”に対応付けられたコンビニチェーン名（つまり、“ＬＳコンビニ”）の店舗名を特定する。電子機器１は、当該特定した店舗名（つまり、“Ｌ１”，“Ｌ２”）の記号をディスプレイ１０５に３次元表示する。
【００６７】
また、電子機器１は、閾値Ｔｈ２以上閾値Ｔｈ１未満の押圧力Ｐがタッチパッド１１０に加わったとき、データ９０７を参照して、押圧力“中”に対応付けられたコンビニチェーン名（つまり、“ＳＥコンビニ”）の店舗名を特定する。電子機器１は、当該特定した店舗名（つまり、“Ｅ１”，“Ｅ２”）の記号をディスプレイ１０５に３次元表示する。
【００６８】
また、電子機器１は、閾値Ｔｈ３以上閾値Ｔｈ２未満の押圧力Ｐがタッチパッド１１０に加わったとき、データ９０７を参照して、押圧力“弱”に対応付けられたコンビニチェーン名（つまり、“ＦＭコンビニ”）の店舗名を特定する。電子機器１は、当該特定した店舗名（つまり、“Ｆ１”，“Ｆ２”）の記号をディスプレイ１０５に３次元表示する。
【００６９】
図８は、電子機器１における第３の表示制御の例を説明するための図である。図８（ａ）は、電子機器１がディスプレイ１０５に地図を表示した状態を示した図である。図８（ｂ）は、図８（ａ）の後に、閾値Ｔｈ１以上の押圧力Ｐがタッチパッド１１０に加わったときの表示画面を示した図である。図８（ｃ）は、図８（ａ）の後に、閾値Ｔｈ２以上閾値Ｔｈ１未満の押圧力Ｐがタッチパッド１１０に加わったときの表示画面を示した図である。図８（ｄ）は、図８（ａ）の後に、閾値Ｔｈ３以上閾値Ｔｈ２未満の押圧力Ｐがタッチパッドに加わったときの表示画面を示した図である。
【００７０】
図８（ａ）を参照して、電子機器１は、ユーザからの指示に基づき、当該指示に応じた地域の地図をディスプレイ１０５に表示する。電子機器１は、料理店Ｊ１，Ｊ２，Ｗ１，Ｗ２，Ｃ１，Ｃ２を示した記号を表示する。なお、以下では、“Ｊ１”，“Ｊ２”，“Ｗ１”，“Ｗ２”，“Ｃ１”，および“Ｃ２”を、「店舗名」とも称する。
【００７１】
料理店Ｊ１，Ｊ２は、和食料理店である。料理店Ｗ１，Ｗ２は、洋食料理店である。料理店Ｃ１，Ｃ２は、中華料理店である。和食料理店、洋食料理店、および中華料理店は、互いに店舗種別（属性）の異なる料理店である。また、料理店Ｊ１を示す記号と料理店Ｊ２を示す記号とで１つの要素画像が構成され、料理店Ｗ１を示す記号と料理店Ｗ２を示す記号とで１つの要素画像が構成され、料理店Ｃ１を示す記号と料理店Ｃ２を示す記号とで１つの要素画像が構成される。
【００７２】
図８（ｂ）を参照して、電子機器１は、閾値Ｔｈ１以上の押圧力Ｐがタッチパッド１１０に加わったとき、和食の料理店Ｊ１，Ｊ２を、ディスプレイ１０５から飛び出す態様で３次元表示する。図８（ｃ）を参照して、電子機器１は、閾値Ｔｈ２以上閾値Ｔｈ１未満の押圧力Ｐがタッチパッド１１０に加わったとき、洋食の料理店Ｗ１，Ｗ２を、ディスプレイ１０５から飛び出す態様で３次元表示する。図８（ｄ）を参照して、電子機器１は、閾値Ｔｈ３以上閾値Ｔｈ２未満の押圧力Ｐがタッチパッド１１０に加わったとき、中華の料理店Ｃ１，Ｃ２を、ディスプレイ１０５から飛び出す態様で３次元表示する。
【００７３】
以上のように、電子機器１は、押圧力Ｐを利用することにより地図中において３次元表示させる料理店（要素画像）を切換えることが可能となる。より詳しくは、電子機器１は、３次元表示させる料理店を、検知した押圧力Ｐに基づいた属性（店舗種別）に対応する記号とすることができる。したがって、ユーザは、押圧を選択または変化させることで、ユーザ自身が確認したい料理を提供する料理店の記号を、視認性が高い状態で確認することができる。
【００７４】
図９は、図８に示した第３の表示制御を実現するために電子機器１が利用するデータ９０９の概略構成を示した図である。なお、データ９０９は、フラッシュメモリ１０４に予め格納されている。
【００７５】
図９を参照して、データ９０９においては、料理店の店舗名と、店舗種別と、押圧力Ｐとが関連付けられている。具体的には、データ９０９においては、店舗名に対して、店舗種別と押圧力Ｐとが関連付けられている。
【００７６】
データ９０９においては、たとえば、店舗名“Ｊ１”と、店舗種別“和食料理店”と、押圧力“強”とが対応付けられている。データ９０９においては、たとえば、店舗名“Ｗ１”と、店舗種別“洋食料理店”と、押圧力“中”とが対応付けられている。データ９０９においては、たとえば、店舗名“Ｃ１”と、店舗種別“中華料理店”と、押圧力“弱”とが対応付けられている。
【００７７】
電子機器１は、たとえば、閾値Ｔｈ１以上の押圧力Ｐがタッチパッド１１０に加わったとき、データ９０９を参照して、押圧力“強”に対応付けられた店舗種別（つまり、“和食料理店”）の店舗名を特定する。電子機器１は、当該特定した店舗名（つまり、“Ｊ１”，“Ｊ２”）の記号をディスプレイ１０５に３次元表示する。
【００７８】
また、電子機器１は、閾値Ｔｈ２以上閾値Ｔｈ１未満の押圧力Ｐがタッチパッド１１０に加わったとき、データ９０９を参照して、押圧力“中”に対応付けられた店舗種別（つまり、“洋食料理店”）の店舗名を特定する。電子機器１は、当該特定した店舗名（つまり、“Ｗ１”，“Ｗ２”）の記号をディスプレイ１０５に３次元表示する。
【００７９】
また、電子機器１は、閾値Ｔｈ３以上閾値Ｔｈ２未満の押圧力Ｐがタッチパッド１１０に加わったとき、データ９０９を参照して、押圧力“弱”に対応付けられた店舗種別（つまり、“中華料理店”）の店舗名を特定する。電子機器１は、当該特定した店舗名（つまり、“Ｃ１”，“Ｃ２”）の記号をディスプレイ１０５に３次元表示する。
【００８０】
図１０は、電子機器１における第４の表示制御の例を説明するための図である。図１０（ａ）は、電子機器１がディスプレイ１０５に宿泊予約サイト（ウェブページ）を表示した状態を示した図である。図１０（ｂ）は、図１０（ａ）の後に、閾値Ｔｈ１以上の押圧力Ｐがタッチパッド１１０に加わったときの表示画面を示した図である。図１０（ｃ）は、図１０（ａ）の後に、閾値Ｔｈ２以上閾値Ｔｈ１未満の押圧力Ｐがタッチパッド１１０に加わったときの表示画面を示した図である。図１０（ｄ）は、図１０（ａ）の後に、閾値Ｔｈ３以上閾値Ｔｈ２未満の押圧力Ｐがタッチパッドに加わったときの表示画面を示した図である。
【００８１】
図１０（ａ）を参照して、電子機器１は、ユーザからの指示に基づき、たとえばＺ市内の宿泊予約サイトをディスプレイ１０５に表示する。電子機器１は、ホテル名（旅館名、民宿名を含む）と、宿泊料金と、備考とを対応付けて表示する。備考には、たとえば、食事の有無などが記載される。図１０においては、説明の便宜上、備考の記載内容を省略している。なお、以下では、ホテル名と、宿泊料金と、備考とをあわせて、「ホテル情報」とも称する。
【００８２】
図１０（ｂ）を参照して、電子機器１は、閾値Ｔｈ１以上の押圧力Ｐがタッチパッド１１０に加わったとき、宿泊料金が２万円以上のホテルについてのホテル情報を、ディスプレイ１０５から飛び出す態様で３次元表示する。図１０（ｃ）を参照して、電子機器１は、閾値Ｔｈ２以上閾値Ｔｈ１未満の押圧力Ｐがタッチパッド１１０に加わったとき、宿泊料金が１万円以上２万円未満のホテルについてのホテル情報を、ディスプレイ１０５から飛び出す態様で３次元表示する。図１０（ｄ）を参照して、電子機器１は、閾値Ｔｈ３以上閾値Ｔｈ２未満の押圧力Ｐがタッチパッド１１０に加わったとき、宿泊料金が１万円未満のホテルについてのホテル情報を、ディスプレイ１０５から飛び出す態様で３次元表示する。なお、２万円以上の宿泊料金、１万円以上２万円未満の宿泊料金、および１万円未満の宿泊料金は、互いに異なる属性の宿泊料金である。
【００８３】
以上のように、電子機器１は、押圧力Ｐを利用することにより宿泊予約サイト中において３次元表示させるホテル情報を切換えることが可能となる。より詳しくは、電子機器１は、３次元表示させるホテル情報を、検知した押圧力Ｐに基づいた属性（価格帯）に対応するホテルについてのホテル情報とすることができる。したがって、ユーザは、押圧を選択または変化させることで、ユーザ自身が希望する価格帯のホテルのホテル情報を、視認性が高い状態で確認することができる。
【００８４】
図１１は、図１０に示した第４の表示制御を実現するために電子機器１が利用するデータ９１１の概略構成を示した図である。なお、データ９１１は、フラッシュメモリ１０４に予め格納されている。
【００８５】
図１１を参照して、データ９１１においては、ホテル名と宿泊料金と価格帯と押圧力Ｐとが関連付けられている。具体的には、データ９１１においては、各ホテル名に対して、宿泊料金と価格帯と押圧力Ｐとが関連付けられている。
【００８６】
データ９１１においては、たとえば、ホテル名“Ｂホテル”と、宿泊料金“８，０００円”と、価格帯“低”と、押圧力“弱”とが対応付けられている。なお、価格帯“低”とは、１万円未満の価格帯を表している。データ９１１においては、たとえば、ホテル名“Ｄホテル”と、宿泊料金“２２，０００円”と、価格帯“高”と、押圧力“強”とが対応付けられている。なお、価格帯“高”とは、２万円以上の価格帯を表している。データ９１１においては、たとえば、ホテル名“Ｓ旅館”と、宿泊料金“１２，０００円”と、価格帯“中”と、押圧力“中”とが対応付けられている。なお、価格帯“中”とは、１万円以上２万円未満の価格帯を表している。
【００８７】
電子機器１は、たとえば、閾値Ｔｈ１以上の押圧力Ｐがタッチパッド１１０に加わったとき、データ９１１を参照して、押圧力“強”に対応付けられたホテル（つまり、宿泊料金が２万円以上のホテル）を特定する。電子機器１は、当該特定したホテルと、当該ホテルの宿泊料金と、当該ホテルの備考とをディスプレイ１０５に３次元表示する。
【００８８】
また、電子機器１は、閾値Ｔｈ２以上閾値Ｔｈ１未満の押圧力Ｐがタッチパッド１１０に加わったとき、データ９１１を参照して、押圧力“中”に対応付けられたホテル（つまり、宿泊料金が１万円以上２万円未満のホテル）を特定する。電子機器１は、当該特定したホテルと、当該ホテルの宿泊料金と、当該ホテルの備考とをディスプレイ１０５に３次元表示する。
【００８９】
また、電子機器１は、閾値Ｔｈ３以上閾値Ｔｈ２未満の押圧力Ｐがタッチパッド１１０に加わったとき、データ９１１を参照して、押圧力“弱”に対応付けられたホテル（つまり、宿泊料金が１万円未満のホテル）を特定する。電子機器１は、当該特定したホテルと、当該ホテルの宿泊料金と、当該ホテルの備考とをディスプレイ１０５に３次元表示する。
【００９０】
＜変形例＞
（１）上記においては、押圧力Ｐを、“強（閾値Ｔｈ１以上）”と“中（閾値Ｔｈ２以上閾値Ｔｈ１未満）”と“弱（閾値Ｔｈ３以上閾値Ｔｈ２未満）”との３つのレベルに分けて説明したが、これに限定されるものではない。押圧力Ｐを、“強”と“弱”との２つのレベルに分けてもよいし、４つ以上のレベルに分けてもよい。また、閾値Ｔｈ３＝０としてもよい。
【００９１】
また、各レベルと属性との対応付けは、ユーザの指示に応じて決定してもよい。たとえば、“特急電車”の代わりに“普通電車”を、押圧力”強”と対応付けてもよい。ただし、押圧力Ｐの強さと飛び出させる画像の属性とがユーザの感覚に合うように、上記対応付けを行なうことが好ましい。
【００９２】
また、地図を表示している状態において、閾値Ｔｈ１以上の押圧力Ｐを検知するとコンビニエンスストアを３次元表示し、閾値Ｔｈ２以上閾値Ｔｈ１未満の押圧力Ｐを検知すると料理店を３次元表示し、閾値Ｔｈ３以上閾値Ｔｈ２未満の押圧力Ｐを検知するとドラッグストアを３次元表示するように電子機器１を構成してもよい。つまり、店舗を業種毎に区分けしておき、検知した押圧力Ｐに応じた業種の店舗を３次元表示するように、電子機器１を構成してもよい。
【００９３】
（２）上記においては、タッチパッド１１０により特定されるポインタの位置にかかわらず、押圧力Ｐの大きさに応じて、３次元表示する画像を切換える構成を説明した。しかしながら、これに限定されず、ポインタ（カーソル）の位置を用いた表示制御を行なうように、電子機器１を構成してもよい。以下、ポインタの位置を用いた表示制御の例（以下、「第５の表示制御の例」と称する）について、図１２および図１３に基づいて説明する。
【００９４】
図１２は、電子機器１における第５の表示制御の例を説明するための図である。図１２（ａ）は、電子機器１がディスプレイ１０５に時刻表を表示した状態であって、かつポインタが１０時の時間帯に位置している状態を示した図である。図１２（ｂ）は、図１２（ａ）の後に、閾値Ｔｈ１以上の押圧力Ｐがタッチパッド１１０に加わったときの表示画面を示した図である。図１２（ｃ）は、図１２（ａ）の後に、閾値Ｔｈ２以上閾値Ｔｈ１未満の押圧力Ｐがタッチパッド１１０に加わったときの表示画面を示した図である。図１２（ｄ）は、図１２（ａ）の後に、閾値Ｔｈ３以上閾値Ｔｈ２未満の押圧力Ｐがタッチパッドに加わったときの表示画面を示した図である。
【００９５】
図１２（ａ）を参照して、電子機器１は、図３（ａ）と同様に、ユーザからの指示に基づき、Ａ駅の上りの１０時から１６時までの時刻表をディスプレイ１０５に表示する。電子機器１は、ユーザの指示に応じて、ポインタを１０時の時間帯に表示している。
【００９６】
図１２（ｂ）を参照して、電子機器１は、閾値Ｔｈ１以上の押圧力Ｐがタッチパッド１１０に加わったとき、ポインタの位置に対応する時間帯の特急電車の発車時刻を、ディスプレイ１０５から飛び出す態様で３次元表示する。より詳しくは、電子機器１は、閾値Ｔｈ１以上の押圧力Ｐがタッチパッド１１０に加わったとき、タッチパッド１１０によって特定されたポインタの位置を含む１０時の時間帯の表示領域５１０に含まれる特急電車の発車時刻を、ディスプレイ１０５から飛び出す態様で３次元表示する。
【００９７】
図１２（ｃ）を参照して、電子機器１は、閾値Ｔｈ２以上閾値Ｔｈ１未満の押圧力Ｐがタッチパッド１１０に加わったとき、ポインタの位置に対応する１０時の時間帯の表示領域５１０に含まれる急行電車の発車時刻を、ディスプレイ１０５から飛び出す態様で３次元表示する。
【００９８】
図１２（ｄ）を参照して、電子機器１は、閾値Ｔｈ３以上閾値Ｔｈ２未満の押圧力Ｐがタッチパッド１１０に加わったとき、ポインタの位置に対応する１０時の時間帯の表示領域５１０に含まれる普通電車の発車時刻を、ディスプレイ１０５から飛び出す態様で３次元表示する。
【００９９】
以上のように、電子機器は、ユーザがポインタによって指定した時間帯において３次元表示させる発車時刻（要素画像）を切換えることが可能となる。
【０１００】
図１３は、電子機器１が図１２に示した第５の表示制御を実現する場合における処理の流れを示したフローチャートである。図１３を参照して、ステップＳ２，Ｓ４，Ｓ６，Ｓ８，Ｓ１０，Ｓ１４は、それぞれ、図５におけるステップＳ２，Ｓ４，Ｓ６，Ｓ８，Ｓ１０と同じである。このため、図１３におけるステップＳ２，Ｓ４，Ｓ６，Ｓ８，Ｓ１０，Ｓ１４については、繰り返し説明を行なわない。以下では、ステップＳ１２Ａ，Ｓ１６Ａ，Ｓ１８Ａについて説明する。
【０１０１】
ＣＰＵ１０１は、閾値Ｔｈ１以上であると判断すると（ステップＳ１０においてＹＥＳ）、ステップＳ１２Ａにおいて、ポインタの位置に対応する時間帯の特急電車の発車時刻を３次元表示させる。ＣＰＵ１０１は、閾値Ｔｈ２以上であると判断すると（ステップＳ１４においてＹＥＳ）、ステップＳ１６Ａにおいて、ポインタの位置に対応する時間帯の急行電車の発車時刻を３次元表示させる。ＣＰＵ１０１は、閾値Ｔｈ２未満であると判断すると（ステップＳ１４においてＮＯ）、ステップＳ１８Ａにおいて、ポインタの位置に対応する時間帯の普通電車の発車時刻を３次元表示させる。
【０１０２】
なお、ステップＳ６の後にステップＳ１０を行ない、ステップＳ１４でＮＯと判断された場合にステップＳ８を行なう構成としてもよい。この場合、ＣＰＵ１０１は、ステップＳ８でＹＥＳの場合、ステップＳ１８Ａに進み、ステップＳ８でＮＯの場合、ステップＳ４に進めばよい。
【０１０３】
（３）電子機器１の表示制御を、テレビ番組表示にも適用できる。たとえば、押圧力Ｐと番組のジャンルとを対応付けておき、たとえば、押圧力Ｐが“強”のときには、ドラマの項目を３次元表示し、押圧力Ｐが“中”のときには、バラエティの項目を３次元表示し、押圧力Ｐが“弱”のときには、スポーツの項目を３次元表示するように、電子機器１を構成してもよい。
【０１０４】
また、電子機器１の表示制御を、個人スケジュール表示に適用してもよい。たとえば、押圧力Ｐが“強”のときには、出張の項目を３次元表示し、押圧力Ｐが“中”のときには、会議の項目を３次元表示し、押圧力Ｐが“弱”のときには、プライベートの項目を３次元表示するように、電子機器１を構成してもよい。
【０１０５】
さらに、電子機器１の表示制御を、授業の時間割表示に適用してもよい。たとえば、押圧力Ｐが“強”のときには、語学の授業の項目を３次元表示し、押圧力Ｐが“中”のときには、自然科学の授業の項目を３次元表示し、押圧力Ｐが“弱”のときには、他の授業の項目または他の予め定められた授業の項目（たとえば、体育の授業）を３次元表示するように、電子機器１を構成してもよい。
【０１０６】
また、電子機器１の表示制御を、株価表示に適用してもよい。たとえば、押圧力Ｐが“強”のときには、株価の上下値幅が第１の金額（または割合）を超えた銘柄を３次元表示し、押圧力Ｐが“中”のときには、株価の上下値幅が第１の金額（または割合）よりも小さな値である第２の金額（または割合）を超えた銘柄を３次元表示し、押圧力Ｐが“弱”のときには、株価の上下値幅が第２の金額（または割合）よりも小さな値である第３の金額または割合を超えた銘柄を３次元表示するように、電子機器１を構成してもよい。
【０１０７】
（４）データ９０４（図４参照）では、発車時刻と列車種別と押圧力Ｐとが、１対１対１で対応付けられている。しかしながら、電子機器１が利用するデータの形式は当該形式に限定されるものではなく、発車時刻と列車種別とが１対１で対応付けられており、列車種別と押圧力Ｐとが１対１で対応付けられていればよい。
【０１０８】
たとえば、データ９０４の代わりに、データ９０４における右２列（発車時刻および列車種別）を示した第１のデータと、普通電車を“弱”に、急行電車を“中”に、特急電車を“強”に対応付けた第２のデータとを用いて、上述した表示制御を行なうように電子機器１を構成してもよい。なお、データ９０７、データ９０９、およびデータ９１１についても、データ９０４と同様である。
【０１０９】
（５）上記においては、圧力センサ１２１がタッチパッド１１０によって実現される例を挙げて説明したがこれに限定されるものではない。圧力センサ１２１は、少なくとも押圧力を加えることによりディスプレイ１０５における位置を指定するデバイスにより実現されていればよい。
【０１１０】
たとえば、指等が接触する入力のための接触面を有し、当該接触面の位置とディスプレイ１０５の表示領域の位置とが一対一に対応している入力デバイスによって実現されていてもよい。当該入力デバイスとして、タッチパネルを構成する入力装置のようにポインタを移動させないデバイスを用いればよい。あるいは、圧力センサ１２１は、押しボタンによって実現されていてもよい。
【０１１１】
圧力センサ１２１が上記接触面を有するデバイスにより実現される場合には、ディスプレイ１０５の表示領域と当該接触面との形状（形および大きさ）が同じであることが好ましい。さらに、当該表示領域と当該接触面とのＸ座標の値およびＹ座標の値が同じであることが好ましい。
【０１１２】
なお、圧力センサ１２１が上記デバイスにより実現される場合には、ＣＰＵ１０１は、上記デバイスによって位置が指定されると、ディスプレイ１０５に上述したような３次元表示を実行させればよい。
【０１１３】
（６）電子機器１におけるタッチパッド１１０の位置は、第２面１０Ｂに限定されるものではない。タッチパッド１１０をたとえば第１面１０Ａ等の他の面に備えるように、電子機器１を構成してもよい。
【０１１４】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１１５】
１  電子機器、１０  筐体、１０Ａ  第１面、１０Ｂ  第２面、１０１  プロセッサ、１０４  フラッシュメモリ、１０５  ディスプレイ、１０７  操作キー、１１０  タッチパッド、１２１  圧力センサ。
【図１】
2012113385.tif 000003
【図２】
2012113385.tif 000004
【図３】
2012113385.tif 000005
【図４】
2012113385.tif 000006
【図５】
2012113385.tif 000007
【図６】
2012113385.tif 000008
【図７】
2012113385.tif 000009
【図８】
2012113385.tif 000010
【図９】
2012113385.tif 000011
【図１０】
2012113385.tif 000012
【図１１】
2012113385.tif 000013
【図１２】
2012113385.tif 000014
【図１３】
2012113385.tif 000015